(57)【要約】  アップリンクの衝突識別情報を提供するための方法は、第１衛星アップリンクにおいて、第１信号を衛星に送信するステップと、第１衛星アップリンクにおいて、第１固有の衛星アップリンク識別信号を前記衛星に送信するステップと、衛星ダウンリンクにおいて、前記第１信号および前記第１固有の衛星アップリンク識別信号を受信するステップと、前記衛星ダウンリンクにおいて、前記第１固有の衛星アップリンク識別信号に対応して前記第１衛星アップリンクを特定するステップと、を具備する。
2010512051.tif 000002
【特許請求の範囲】
【請求項１】
アップリンクの衝突識別情報を提供するための方法において、前記方法は、
第１衛星アップリンクにおいて、第１信号を衛星に送信するステップと、
第１衛星アップリンクにおいて、第１固有衛星アップリンク識別信号を前記衛星に送信するステップと、
衛星ダウンリンクにおいて、前記第１信号および第１固有衛星アップリンク識別信号を受信するステップと、
前記衛星ダウンリンクにおいて、衛星アップリンク識別信号に対応して第１衛星アップリンクを特定するステップと、
を具備することを特徴とするアップリンクの衝突識別を提供するための方法。
【請求項２】
前記第１信号は、周波数帯域の上限端を有する第１周波数帯域上で送信され、
前記第１固有衛星アップリンク識別信号は、前記周波数帯域の上限端から所定の周波数離れた周波数で送信される
ことを特徴とする請求項１に記載の方法。
【請求項３】
前記第１信号は、周波数帯域の下限端を有する第１周波数帯域上で送信され、
前記第１固有衛星アップリンク識別信号は、前記周波数帯域の下限端から所定の周波数離れた周波数で送信される
ことを特徴とする請求項１に記載の方法。
【請求項４】
前記所定の周波数は、あらかじめ定義された幅の帯域内であることを特徴とする請求項２に記載の方法。
【請求項５】
前記あらかじめ定義された幅の帯域は、およそ 0.5 MHzであることを特徴とする請求項４に記載の方法。
【請求項６】
前記第１固有衛星アップリンク識別信号は、識別コードにより変調された搬送波であることを特徴とする請求項４に記載の方法。
【請求項７】
前記第１固有衛星アップリンク識別信号は、前記第１信号より下のレベルで送信されることを特徴とする請求項１に記載の方法。
【請求項８】
前記第１固有衛星アップリンク識別信号に対応して前記第１衛星アップリンクを特定するステップは、
前記識別信号から、識別コードを抽出するステップと、
識別コードのデータベースにアクセスするステップと、
を具備することを特徴とする請求項１に記載の方法。
【請求項９】
第２衛星アップリンクにおいて、第２信号を前記衛星に送信するステップと、
前記第２衛星アップリンクにおいて、第２固有衛星アップリンク識別信号を前記衛星に送信するステップと、
前記衛星ダウンリンクにおいて、前記第２信号および前記第２固有衛星アップリンク識別信号を受信するステップと、
前記衛星ダウンリンクにおいて、前記第２固有衛星アップリンク識別信号に対応して、前記第２衛星アップリンクを特定するステップと、
を具備することを特徴とする請求項１に記載の方法。
【請求項１０】
アップリンクの衝突識別情報を提供するためのシステムにおいて、前記システムは、
第１信号を衛星に送信する第１衛星アップリンクと、
第１固有衛星アップリンク識別信号を前記衛星に送信する前記第１衛星アップリンクと、
前記第１信号および前記第１固有衛星アップリンク識別信号を受信する衛星ダウンリンクと、
前記第１衛星アップリンクを前記第１固有衛星アップリンク識別信号に対応して特定する識別システムと、
を具備するシステム。
【請求項１１】
前記第１信号は、周波数帯域の上限端を有する第１周波数帯域上で送信され、
前記第１固有衛星アップリンク識別信号は、前記周波数帯域の上限端から所定の周波数離れた周波数上で送信される
ことを特徴とする請求項１０に記載のシステム。
【請求項１２】
前記第１信号は、周波数帯域の下限端を有する第１周波数帯域上で送信され、
前記第１固有衛星アップリンク識別信号は、前記周波数帯域の下限端から所定の周波数離れた周波数上で送信される
ことを特徴とする請求項１０に記載のシステム。
【請求項１３】
前記所定の周波数は、あらかじめ定められた幅の帯域内であることを特徴とする請求項１１に記載のシステム。
【請求項１４】
前記あらかじめ定められた幅の帯域は、およそ 0.5 MHzであることを特徴とする請求項１３に記載のシステム。
【請求項１５】
前記第１固有衛星アップリンク識別信号は、識別コードにより変調された搬送波であることを特徴とする請求項１０に記載のシステム。
【請求項１６】
前記第１固有衛星アップリンク識別信号は、前記第１信号の下のレベルで送信されることを特徴とする請求項１０に記載のシステム。
【請求項１７】
前記識別システムは、前記識別信号から識別コードを抽出するとともに識別コードのデータベースにアクセスすることにより前記第１固有衛星アップリンク識別信号に対応して前記第１衛星アップリンクを特定することを特徴とする請求項１０に記載のシステム。
【請求項１８】
前記システムは、
第２信号を前記衛星に送信する第２衛星アップリンクをさらに具備し、
前記第２衛星アップリンクは、第２固有衛星アップリンク識別信号を前記衛星に送信し、
前記衛星ダウンリンクは、前記第２信号および前記第２固有衛星アップリンク識別信号を受信し、
前記識別システムは、前記第２衛星アップリンク識別信号に対応して前記衛星アップリンクを特定する
ことを特徴とする請求項１０に記載のシステム。
【請求項１９】
アップリンクの衝突識別情報を提供するためのコンピュータプログラム製品において、前記コンピュータプログラム製品は、
処理回路により読取可能な記憶媒体を具備し、
前記記憶媒体には、方法を実施するための、前記処理回路により実行される命令が格納されており、
前記方法は、
第１衛星アップリンクにおいて、第1信号を衛星に送信するステップと、
前記第１衛星アップリンクにおいて、第１固有衛星アップリンク識別信号を前記衛星に送信するステップと、
衛星ダウンリンクにおいて、前記第１信号および前記第１固有衛星アップリンク識別信号を受信するステップと、
前記衛星ダウンリンクにおいて、前記第１固有衛星アップリンク識別信号に対応して前記衛星アップリンクを特定するステップと、
を具備することを特徴とするコンピュータプログラム製品。
【発明の詳細な説明】
【技術分野】
【０００１】
本発明は、一般に衛星通信に関するものであり、特に信号衝突(collision)を避けるために、衛星アップリンクの衝突識別情報を提供するための方法、システム、およびコンピュータプログラム製品に関する。
【背景技術】
【０００２】
時折、偶然に又は意図的に、１つ以上の衛星アップリンクは、衛星の同一のトランスポンダ(transponder)に送信する。この２つの送信の混在の影響は、業界ではダブルイルミネーション（double illumination）と呼ばれる。衛星ダウンリンクは、混在した信号を受信するが、どの衛星アップリンクが目的の信号に干渉しているのか確認できない。これは、不要な信号の送信元を特定しようとするために適切な送信が中断されることになる。この場合では、一般的には、前記衛星ダウンリンクは、不要な信号を終了させることができるまで受信者への信号の配信を中止する。または、衛星ダウンリンク信号の受信者は、その不要な信号を受信する。どちらの場合においても、衛星ダウンリンクの受信者（例えば、番組の視聴者）は、目的のコンテンツを受信していない。
【発明の概要】
【発明が解決しようとする課題】
【０００３】
したがって、信号が所望されていないものである場合には、送信機にただちに通知されるような、衛星アップリンクで送信された信号の送信元を特定する技術的な必要性がある。
【課題を解決するための手段】
【０００４】
本発明の一構成は、衛星アップリンクに関連する固有の識別信号を送信することにより衛星アップリンク信号を識別するための方法に関する。前記識別信号は、不要な衛星信号の送信元をすばやく特定するために衛星ダウンリンクにより使用される。
【０００５】
更なる本発明の一構成は、衛星アップリンク信号を識別するためのシステムおよびコンピュータプログラム製品を含む。
【０００６】
本発明の一構成に従った、他のシステム、方法、および／またはコンピュータ製品は、以下の図面および詳細な説明を検討する当業者にとって明白であり、または明白となりうる。追加的なシステム、方法、および／またはコンピュータプログラム製品といったすべてのものは、この明細書内に含まれ、実施態様の範囲内であり、かつ添付の特許請求の範囲により保護されることを意図する。
【図面の簡単な説明】
【０００７】
図面を参照する。類似した要素は個々の図において同様に符号がつけられている。
【０００８】
【図１】衛星アップリンクおよびダウンリンクのハイレベルブロック図である。
【図２】衛星アップリンク内で送信されたコードを図解したものである。
【図３】他の実施形態において衛星アップリンク内で送信されたコードを図解したものである。
【発明を実施するための形態】
【０００９】
発明を実施するための形態では、図面を参照しながら、一例としての実施形態を、利点および特徴とともに説明する。
【００１０】
図１は、衛星システムの一例を示すブロック図である。図１において、衛星アップリンク１０は、衛星ダウンリンクサイト１４に信号を配信するために、衛星１２に前記信号を送信する。前記衛星ダウンリンクサイト１４は、例えば前記衛星信号を配信するための衛星ゲートウェイである。前記衛星アップリンク１０は、一定の搬送周波数または搬送チャネルで前記信号を送信する。第２衛星アップリンク１１がアップリンク１０と同じチャネルで信号を送信する場合にダブルイルミネーション問題が生じる。前記衛星１２は、両方のアップリンク信号を受信するとともに、信号を混合(mix)する。前記衛星ダウンリンク１４で受信される信号は、衛星アップリンク１０からの目的信号および衛星アップリンク１１からの不要な信号の混在したものである。
【００１１】
本発明の実施形態は、衛星アップリンク信号の送信元を特定する固有の衛星アップリンク識別信号を、アップリンク送信中に利用する。さらに、それぞれのアップリンクにより使用される周波数もまた、産業会社（industry entity）により指定されている。これは、衛星ダウンリンク１４のオペレータに、不要な衛星アップリンク１１を迅速に特定させるとともに、その特定チャネルでの送信を中断させるための不要衛星アップリンクとの交信(contact)を可能にする。本明細書でさらに詳細に説明されるように、衛星ダウンリンク１４は、プロセッサ２０に使用されている。前記プロセッサ２０は、ネットワーク２２を介してデータベース２４にアクセスする。これは、不要な衛星アップリンク１１の迅速な特定を可能にする。
【００１２】
図２は、衛星アップリンク識別信号の例を示したものである。図２は、周波数帯域の下限端１００および周波数帯域の上限端１０２により規定されたアップリンクチャネルを図示したものである。本発明の実施形態において、前記衛星アップリンク識別信号は、前記周波数帯域の上限端１０２に近接した、周波数帯域１０４内の周波数１０６上で送信される。図２に示す実施形態において、周波数帯域１０４は、0.5 MHzの幅である。図２に示す実施形態において、前記アップリンク識別信号１０６には、100 kHzを使用し、また、それゆえ、前記 0.5 MHz帯域１０４内のいろいろな位置をとりうる。前記アップリンク識別信号１０６の位置は、アップリンク識別信号のそれぞれの重なりを防ぐために、変更してよい。さらに、前記周波数帯域１０４内のアップリンク識別信号１０６の位置は、その周波数に割り当てられた特定のアップリンクまたはアップリンクのグループを特定するために使用される。
【００１３】
図３は、アップリンク識別信号１０６が、前記周波数帯域の下限端１００に近接した周波数帯域１０４内において送信される他の実施形態を示している。図３に示されている実施形態において、前記アップリンク識別信号１０６には、100 kHzを使用し、また、それゆえ、前記 0.5 MHz帯域１０４内のいろいろな位置をとりうる。前記アップリンク識別信号１０６の位置は、アップリンク識別信号のそれぞれの重なりを防ぐために、変更してよい。さらに、周波数帯域１０４内のアップリンク識別信号１０６の位置は、その周波数に割り当てられた特定のアップリンクまたはアップリンクのグループを特定するために使用される。
【００１４】
前記衛星アップリンク識別信号は、識別コードによりオン／オフに変調された連続波のキャリアであってよい。実施形態において、前記識別コードは、衛星アップリンクの固有識別子を搬送する４文字の国際モールス符号であってもよい。衛星アップリンク識別信号１０６の前記搬送周波数は、主搬送波の下の信号レベル(例えば、20db)で送信されるべきである。他のコードを使用してもよく、前記国際モールス符号を使用したのはあくまで例示である。例えば、実施例として、ASK，PSK，FSKタイプの変調を使用した識別コードで表現してもよい。
【００１５】
前記識別信号は、それぞれの衛星アップリンクのアップコンバータ（upconverter）内で付加される。前記識別信号の生成は、前記アップコンバータに不可欠であり、簡単に使用禁止にするべきではない。前記識別搬送周波数は、400 Hzを中心として位置し、前記トランスポンダ端からスタートして周波数を下げていく。前記モールス符号識別情報は、毎分5単語送信されうる。前記識別信号の側波帯は、側波帯から 200 Hzの隣接した識別搬送波よりも少なくとも 100 db下となるように、搬送波の前記モールス符号キーイングは、ブラックマン・ハリス（Blackman-Harris）デジタルフィルタの形状であるべきである。
【００１６】
それぞれのアップコンバータのための前記周波数は、産業会社により割り当てられるべきであるとともに、データベース２４においておく(reside）べきである。それぞれの衛星アップリンクのための前記４文字の識別コードもまた、産業会社により割り当てられるべきであり、すべての関係者(FCCのような監督機関も含む)が利用できるようにデータベース２４においておく(placed)べきである。
【００１７】
もしダブルイルミネーションイベントが発生した場合には、前記衛星ダウンリンク１４は、衛星アップリンク１０および１１の両方から前記識別信号を受信する。おそらく、衛星アップリンク１０からの前記識別信号は、前記ダウンリンク１４において認識される。不要な衛星アップリンク１１からの前記識別コードは、すべての衛星アップリンクの識別コードを有するデータベース２４に照会するために、プロセッサ２０(例えば、コンピュータまたは、コンピュータプログラムを実行しているサーバ)により、使用される。前記プロセッサ２０は、データベース２４にネットワーク２２(例えば、インターネット、WAN，LANなど）を介してアクセスしうる。前記プロセッサ２０およびデータベース２４は、識別システムを形成し、前記識別システムは、前記衛星アップリンク１１の識別情報を自動的に抽出可能である。
【００１８】
前記データベースは、連絡先、電話番号、地理的な位置などを含む前記衛星アップリンク１１のための識別情報を提供する。衛星ダウンリンク１４のオペレータは、その後、干渉している信号の停止を要求するために、不要な衛星アップリンク１１に交信しうる。他の実施形態においては、前記衛星ダウンリンク１４のオペレータは、不要な衛星アップリンクの送信中に前記識別コードを認識しうる(例えば、モールス符号の認識)とともに、送信元を特定しうる。
【００１９】
さらに、産業会社により割り当てられたそれぞれのアップコンバータの周波数は、データベース２４に格納されている。したがって、不要な衛星アップリンク１１からの信号の周波数は、衛星アップリンク１１のオペレータを特定するために使用されうる。前記アップリンク周波数および前記識別コードは、不要な信号を送信している衛星アップリンク１１を特定するための２つの機能を提供する。
【００２０】
これまで説明したように、実施例は、コンピュータに実装されたプロセスおよびそれらのプロセスを実行するための装置の形で提供されうる。前記実施例もまた、フロッピー（登録商標）ディスク、CD ROM、ハードディスク、または他の任意のコンピュータ読取可能な記録媒体といった、有形的媒体内に具体化された、命令を含むコンピュータプログラムコードの形式で提供されうる。前記コンピュータプログラムコードがコンピュータに読み込まれるとともに実行される場合には、前記コンピュータは、実施例を実施する装置となる。前記実施例は、コンピュータプログラムコードの形式で提供されうる。例えば、記録媒体に格納され、コンピュータにより読み込まれ、および／または実行されるか、いくつかの伝送媒体を介して伝送され、コンピュータにより読み込まれ、および／または実行されるか、電気配線または電気ケーブルを介し、光ケーブルを通り、または電磁放射などのいくつかの伝送媒体を介して伝送され、コンピュータプログラムコードがコンピュータにより読み込まれるとともに実行される場合には、コンピュータは、実施例を実行する装置となる。汎用マイクロプロセッサ上に実装された場合には、コンピュータプログラムコードセグメントは、マイクロプロセッサが特定の論理回路を生成するように構成される。
【００２１】
実施形態を参照しながら本発明を説明してきたが、当業者にとり、本発明の範囲から逸脱することなく、種々の変更を加えうることおよび均等は要素のために代用されうることが理解される。さらに、必要不可欠な範囲を逸脱することなく、特定の場面または材料で本発明が教示するものを構成するような多くの修正もなされうる。したがって、本発明は、本発明を実行するために開示した特定の実施形態に限定されない。さらに、第１、第２などといった用語の使用は、順序や重要性を意味しないが、第１、第２などといった用語は、むしろ１つの要素を他と区別するために使用されている。そのうえ、単数表記での用語の使用は、数、量の限定を意味せず、むしろ参照されるアイテムが少なくとも１つは存在することを示している。
【符号の説明】
【００２２】
１０      衛星アップリンク
１１      衛星アップリンク
１２      衛星
１４      衛星ダウンリンク
２０      プロセッサ
２２      ネットワーク
２４      データベース
【図１】
2010512051.tif 000003
【図２】
2010512051.tif 000004
【図３】
2010512051.tif 000005
【国際調査報告】
2010512051.tif 000006